(57)【要約】【課題】ドラム運搬作業に係る作業性や、ドラムの耐久性を向上させることができ、また、作業者がドラムから目を離すことなくドラム固定作業をすることができるとともに紛失を防止することができる伸縮機構部材、及び、この伸縮機構部材を備えるドラムを提供する。【解決手段】ドラム１は、巻胴部２と、鍔部３ａ，３ｂと、伸縮機構部材４とを備える。伸縮機構部材４は、各鍔部３ａ，３ｂそれぞれの内面８ａ，８ｂに跨がって着脱自在に保持されるように形成され、且つ、鍔部３ａ，３ｂの外面１１ａ，１１ｂに着脱自在に保持されるように形成される。【選択図】図１
2020138840.tif 000002
【特許請求の範囲】
【請求項１】
導電路が巻回される巻胴部と、該巻胴部の軸方向における両端に設けられる鍔部と、を備えるドラムに用いられ、前記鍔部を補強する、及び、前記ドラムの転がりを防止する棒状の部材であり、前記各鍔部それぞれの内面に跨がって着脱自在に保持されるように形成され、且つ、前記鍔部の外面に着脱自在に保持されるように形成される
ことを特徴とする伸縮機構部材。
【請求項２】
請求項１に記載の伸縮機構部材において、
当該伸縮機構部材は、この軸方向において所望の長さに伸縮自在に形成され、且つ、この軸方向の一端が前記各鍔部のいずれか一方の鍔部の内面に形成された一方の取付孔に挿入可能であるとともにこの軸方向の他端が前記各鍔部のいずれか他方の鍔部の内面に形成された他方の取付孔に挿入可能に形成される
ことを特徴とする伸縮機構部材。
【請求項３】
請求項２に記載の伸縮機構部材において、
当該伸縮機構部材は、前記所望の長さに固定するための固定手段を備える
ことを特徴とする伸縮機構部材。
【請求項４】
請求項１、２又は３に記載の伸縮機構部材において、
当該伸縮機構部材は、この軸方向に直交するように切断したときの断面が多角形に形成される
ことを特徴とする伸縮機構部材。
【請求項５】
導電路が巻回される巻胴部と、該巻胴部の軸方向における両端に設けられる鍔部と、を備えるドラムであり、
さらに、前記鍔部を補強する、及び、前記ドラムの転がりを防止する伸縮機構部材を備え、
該伸縮機構部材は、前記各鍔部それぞれの内面に跨がって着脱自在に保持されるように形成され、且つ、前記鍔部の外面に着脱自在に保持されるように形成される
ことを特徴とするドラム。
【請求項６】
請求項５に記載のドラムにおいて、
前記各鍔部のいずれか一方の鍔部の内面に、前記伸縮機構部材の、この軸方向の一端を挿入可能に形成された一方の取付孔が設けられ、前記各鍔部のいずれか他方の鍔部の内面に、前記伸縮機構部材の、この軸方向の他端を挿入可能に形成された他方の取付孔が設けられる
ことを特徴とするドラム。
【請求項７】
請求項６に記載のドラムにおいて、
前記一方の取付孔と前記他方の取付孔とは、それぞれ複数設けられ、且つ、前記各一方の取付孔と前記各他方の取付孔とが当該ドラムの軸方向において互いに対向するように配置される
ことを特徴とするドラム。
【発明の詳細な説明】
【技術分野】
【０００１】
本発明は、ドラムの鍔部を補強するとともにドラムの転がりを防止する伸縮機構部材、及び、この伸縮機構部材を備えるドラムに関する。
【背景技術】
【０００２】
従来、導電路（電線又はケーブル）を搬送するために導電路を巻回するドラムの技術としては、例えば、特許文献１に開示されているような技術が知られている。
【０００３】
従来のドラムは、特許文献１の図１に図示するように、円筒状の巻胴１と、中心に円形の軸穴２ａを有し巻胴１の軸方向における両端に巻胴１と同軸状に設けられる一対の鍔部２とを備え、巻胴１の内部に、両鍔部２の軸穴２ａ部分に両端部２が嵌合により保持される中空軸状補強部材５が配置されている。
【先行技術文献】
【特許文献】
【０００４】
【特許文献１】特開２００６−１７１７号公報
【発明の概要】
【発明が解決しようとする課題】
【０００５】
特許文献１以外で、ドラムに関する技術としては、図１１に図示するような技術（以下、「従来技術」という）が知られている。図１１に図示するドラム１００は、木製であって、巻胴部１０１と、一対の鍔部１０２（１０２ａ、１０２ｂ）とを備えている。このようなドラム１００の運搬は、作業者がドラム１００を押して転がすことにより、行っている。また、ドラム１００を保管する際、図示しないストッパーを用いてドラム１００が転がらないように固定している。
【０００６】
ところで、従来技術では、つぎのような問題点があった。すなわち、従来技術では、各鍔部１０２それぞれの外周側同士が固定されていないため、ドラム１００の運搬する際（以下、「ドラム運搬作業時」という）に、作業者が手作業でドラム１００の進行方向を変える際に鍔部１０２が歪んでしまうため大きな力を必要としていた。また、重量の大きいドラム１００では、上記歪みにより、鍔部１０２に亀裂や割れが生じ易かった。したがって、ドラム運搬作業時の作業性や、ドラム１００の耐久性が悪くなる虞があるという問題点があった。
【０００７】
また、従来技術では、運搬したドラム１００を所定の場所に固定し保管する際（以下、「ドラム固定作業時」という）に、付近にストッパーが無い場合、ストッパーの保管場所に取りに行く手間が生じていた。また、上記保管されているドラム１００を運搬する際に、ストッパーを外し、このストッパーを元の保管場所に戻す手間が生じていた。したがって、これらの点からも、ドラム運搬作業時の作業性が悪くなる虞があるという問題点があった。
【０００８】
また、上記の通り、ストッパーを取りに行くため、図１２に図示するように、作業者１０３がドラム１００から目を離した際に、載置面（地面、床、荷台等）２００の傾斜、ドラム１００の自重、風圧等で、ドラム１００が転がってしまうというような虞があるという問題点があった。さらに、ストッパーを外した後、ストッパーを元の保管場所に戻す手間が生じるため、ストッパーを戻し忘れて紛失する虞があるという問題点があった。
【０００９】
なお、特許文献１に開示された「中空軸状補強部材」をドラムに適用することも考えられる。しかしながら、特許文献１に開示された「中空軸状補強部材」は、各鍔部それぞれの外周側同士を固定するものではなく、また、ドラムの転がりを防止する部材（ストッパー）ではなく、また、鍔部の外面に着脱自在に保持可能に形成されるものではない。したがって、特許文献１に開示された「中空軸状補強部材」をドラムに適用した場合、従来技術（図１１参照）と同様、ドラム運搬作業時の作業性やドラムの耐久性が悪くなる虞があり、また、離れた場所に保管されたストッパーを取りに行くため作業者がドラムから目を離した際にドラムが転がってしまうというような虞があり、また、ストッパーを外した後、ストッパーを元の保管場所に戻す手間が生じるため、ストッパーを戻し忘れて紛失する虞がある。したがって、特許文献１に開示された技術をドラムに適用したとしても、上記各問題点を解決することはできなかった。
【００１０】
本発明は、上記した事情に鑑みてなされたもので、ドラム運搬作業に係る作業性や、ドラムの耐久性を向上させることができ、また、作業者がドラムから目を離すことなくドラム固定作業をすることができるとともに紛失を防止することができる伸縮機構部材、及び、この伸縮機構部材を備えるドラムを提供することを課題とする。
【課題を解決するための手段】
【００１１】
（１）上記課題を解決するためになされた請求項１記載の本発明の伸縮機構部材は、導電路が巻回される巻胴部と、該巻胴部の軸方向における両端に設けられる鍔部と、を備えるドラムに用いられ、前記鍔部を補強する、及び、前記ドラムの転がりを防止する棒状の部材であり、前記各鍔部それぞれの内面に跨がって着脱自在に保持されるように形成され、且つ、前記鍔部の外面に着脱自在に保持されるように形成されることを特徴とする。
【００１２】
（２）請求項２記載の本発明の伸縮機構部材は、請求項１に記載の伸縮機構部材において、当該伸縮機構部材は、この軸方向において所望の長さに伸縮自在に形成され、且つ、この軸方向の一端が前記各鍔部のいずれか一方の鍔部の内面に形成された一方の取付孔に挿入可能であるとともにこの軸方向の他端が前記各鍔部のいずれか他方の鍔部の内面に形成された他方の取付孔に挿入可能に形成されることを特徴とする。
【００１３】
（３）請求項３記載の本発明の伸縮機構部材は、請求項２に記載の伸縮機構部材において、当該伸縮機構部材は、前記所望の長さに固定するための固定手段を備えることを特徴とする。
【００１４】
（４）請求項４記載の本発明の伸縮機構部材は、請求項１、２又は３に記載の伸縮機構部材において、当該伸縮機構部材は、この軸方向に直交するように切断したときの断面が多角形に形成されることを特徴とする。
【００１５】
（５）上記課題を解決するためになされた請求項５記載の本発明のドラムは、導電路が巻回される巻胴部と、該巻胴部の軸方向における両端に設けられる鍔部と、を備えるドラムであり、さらに、前記鍔部を補強する、及び、前記ドラムの転がりを防止する伸縮機構部材を備え、該伸縮機構部材は、前記各鍔部それぞれの内面に跨がって着脱自在に保持されるように形成され、且つ、前記鍔部の外面に着脱自在に保持されるように形成されることを特徴とする。
【００１６】
（６）請求項６記載の本発明のドラムは、請求項５に記載のドラムにおいて、前記各鍔部のいずれか一方の鍔部の内面に、前記伸縮機構部材の、この軸方向の一端を挿入可能に形成された一方の取付孔が設けられ、前記各鍔部のいずれか他方の鍔部の内面に、前記伸縮機構部材の、この軸方向の他端を挿入可能に形成された他方の取付孔が設けられることを特徴とする。
【００１７】
（７）請求項７記載の本発明のドラムは、請求項６に記載のドラムにおいて、前記一方の取付孔と前記他方の取付孔とは、それぞれ複数設けられ、且つ、前記各一方の取付孔と前記各他方の取付孔とが当該ドラムの軸方向において互いに対向するように配置されることを特徴とする。
【００１８】
上記（１）又は（５）のような特徴を有する本発明によれば、伸縮機構部材にて各鍔部同士が固定され、鍔部が補強されることにより、鍔部の剛性が従来技術に比べ向上する。このように、鍔部の剛性が従来技術に比べ向上すると、ドラム運搬作業時に、作業者が手作業でドラムの進行方向を変える際の鍔部の歪みが生じ難くなる。上記鍔部の歪みが生じ難くなることにより、作業者が手作業でドラムの進行方向を変えるのに要する力が従来技術に比べて小さい力で済み、また、鍔部に亀裂や割れが生じ難くなる。
【００１９】
また、本発明によれば、ドラム固定作業時に、ドラムに保持された伸縮機構部材を取り外し、ドラムの載置面と鍔部との間に伸縮機構部材を介在させストッパーとしてドラムの転がりを防止することにより、離れた場所に保管されているストッパーを取りに行く手間が無くなる。したがって、作業者がドラムから目を離した際に、ドラムが転がってしまうというような虞が無くなる。
【００２０】
また、本発明によれば、ドラム運搬作業時、及び、導電路延線作業時に、伸縮機構部材をドラムに保持することができることから、伸縮機構部材を離れた保管場所に戻す手間が無くなる。したがって、伸縮機構部材の戻し忘れが無くなる。
【００２１】
また、本発明によれば、導電路延線作業時に、伸縮機構部材を鍔部の外面に保持するため、伸縮機構部材が延線作業の妨げになることが無い。伸縮機構部材は、鍔部の外面に着脱自在となるため、容易に取り外しが可能であり、他のドラムにも使用することができる。
【００２２】
上記（２）又は（６）のような特徴を有する本発明によれば、伸縮機構部材の軸方向の一端を一方の取付孔に挿入し、上記軸方向において所望の長さに伸ばし、上記軸方向の他端を他方の取付孔に挿入することにより、各鍔部に跨がって伸縮機構部材が保持される。また、伸縮機構部材が上記保持された状態において、上記軸方向において所望の長さに縮め、上記軸方向の他端を他方の取付孔から抜き、上記軸方向の一端を一方の取付孔から抜くことにより、伸縮機構部材が各鍔部から取り外される。したがって、伸縮機構部材を各鍔部それぞれの内面に対し、容易に着脱することができる。
【００２３】
また、本発明によれば、ドラム固定作業時に、伸縮機構部材を所望の長さに調整し、ストッパーとしてドラムの転がりを防止することができる。また、本発明によれば、導電路延線作業時に伸縮機構部材を延線作業の妨げにならないような長さに調整し、ドラムに保持することができる。したがって、用途に応じ、軸方向の長さを調整することが可能であり、他のドラムにも使用することができる。
【００２４】
上記（３）のような特徴を有する本発明によれば、伸縮機構部材を所望の長さに調整し、この所望の長さを固定手段にて固定することができる。したがって、ドラム運搬作業時には、伸縮機構部材にて各鍔部同士が、より確実に固定され、鍔部が、より補強され、また、導電路延線作業時には、延線作業の妨げにならないような長さに固定されてドラムの外面に保持される。
【００２５】
上記（４）のような特徴を有する本発明によれば、断面多角形の伸縮機構部材は、載置面を転がり難いことから、伸縮機構部材にてドラムの転がりが、より確実に防止される。
【００２６】
上記（７）のような特徴を有する本発明によれば、複数の伸縮機構部材にて各鍔部同士が固定され、鍔部が補強されることにより、鍔部の剛性が従来技術に比べ、より向上する。また、複数の伸縮機構部材がドラムの軸方向に沿うように各鍔部それぞれの内面に跨がって保持されるため、鍔部が、より補強される。したがって、ドラム運搬作業時に作業者が手作業でドラムの進行方向を変える際の鍔部の歪みが、より生じ難くなり、上記ドラムの進行方向を変えるのに要する力が従来技術に比べて、より小さい力で済み、また、鍔部に亀裂や割れが、より生じ難くなる。
【発明の効果】
【００２７】
本発明によれば、ドラム運搬作業時に、作業者が手作業でドラムの進行方向を変えるのに要する力を従来技術に比べて小さくすることができ、また、鍔部に亀裂や割れを生じ難くすることができることから、ドラム運搬作業に係る作業性や、ドラムの耐久性を向上させることができるという効果を奏する。また、本発明によれば、伸縮機構部材を離れた場所まで取りに行く手間や、伸縮機構部材を離れた場所に戻す手間を無くすことができることから、作業者がドラムから目を離すことなくドラム固定作業をすることができるとともに伸縮機構部材の紛失を防止することができるという効果を奏する。
【図面の簡単な説明】
【００２８】
【図１】本発明のドラムの実施例を示す図であり、ドラムを、この軸方向に直交する方向に視た図である。
【図２】鍔部を示す図であり、（ａ）は一方の鍔部の内面を示す図、（ｂ）は他方の鍔部の内面を示す図である。
【図３】鍔部を示す図であり、（ａ）は一方の鍔部の外面を示す図、（ｂ）は他方の鍔部の外面を示す図である。
【図４】本発明の伸縮機構部材の実施例を示す図であり、ドラム固定作業時、及び、導電路延線作業時の伸縮機構部材の斜視図である。
【図５】本発明の伸縮機構部材の実施例を示す図であり、ドラム運搬作業時の伸縮機構部材の斜視図である。
【図６】伸縮機構部材を各鍔部へ取り付ける作業について説明する図であり、（ａ）は伸縮機構部材を各鍔部へ取り付ける前の状態を示す図、（ｂ）は伸縮機構部材の軸方向の一端を一方の取付孔に挿入した状態を示す図である。
【図７】図６につづく図であり、伸縮機構部材を各鍔部へ取り付ける作業が完了した状態を示す図である。
【図８】ドラムを固定した状態を示す図であり、ドラムを、この軸方向に直交する方向に視た図である。
【図９】ドラムを固定した状態を示す図であり、ドラムを、一方の鍔部の外面側からドラムの軸方向に視た図である。
【図１０】導電路延線作業時のドラムを示す図であり、ドラムを、一方の鍔部の外面側からドラムの軸方向に視た図である。
【図１１】従来のドラムを示す図である。
【図１２】従来のドラムの問題点の１つを説明する図である。
【発明を実施するための形態】
【００２９】
以下、図１−図１０を参照しながら、本発明に係る伸縮機構部材、及び、この伸縮機構部材を備える本発明に係るドラムの実施例について説明する。
【実施例】
【００３０】
図１は本発明のドラムの実施例を示す図であり、ドラムを、この軸方向に直交する方向に視た図、図２は鍔部を示す図であり、（ａ）は一方の鍔部の内面を示す図、（ｂ）は他方の鍔部の内面を示す図、図３は鍔部を示す図であり、（ａ）は一方の鍔部の外面を示す図、（ｂ）は他方の鍔部の外面を示す図、図４は本発明の伸縮機構部材の実施例を示す図であり、ドラム固定作業時、及び、導電路延線作業時の伸縮機構部材の斜視図、図５は本発明の伸縮機構部材の実施例を示す図であり、ドラム運搬作業時の伸縮機構部材の斜視図、図６は伸縮機構部材を各鍔部へ取り付ける作業について説明する図であり、（ａ）は伸縮機構部材を各鍔部へ取り付ける前の状態を示す図、（ｂ）は伸縮機構部材の軸方向の一端を一方の取付孔に挿入した状態を示す図、図７は図６につづく図であり、伸縮機構部材を各鍔部へ取り付ける作業が完了した状態を示す図、図８はドラムを固定した状態を示す図であり、ドラムを、この軸方向に直交する方向に視た図、図９はドラムを固定した状態を示す図であり、ドラムを、一方の鍔部の外面側からドラムの軸方向に視た図、図１０は導電路延線作業時のドラムを示す図であり、ドラムを、一方の鍔部の外面側からドラムの軸方向に視た図である。
【００３１】
図１において、引用符号１は、本発明に係るドラムの実施例を示している。ドラム１は、図示しない導電路（長尺で重量のある電線又はケーブル）の巻き取り、搬送に利用されるドラムである。ドラム１は、巻胴部２と、一対の鍔部３と、本発明に係る複数本（本実施例では４本）の伸縮機構部材４とを備えている。以下、ドラム１の各構成について説明する。
【００３２】
まず、巻胴部２について説明する。
図１に図示する巻胴部２は、その外周面に導電路が巻回される部分である。巻胴部２は、本実施例では木製であり、円筒状に形成されている。
【００３３】
つぎに、鍔部３について説明する。
図１に図示する鍔部３は、巻胴部２の外周面に巻回される導電路を軸方向からガイドする部分である。図１に図示するように、鍔部３は、巻胴部２の軸方向における両端に設けられている。本実施例では、各鍔部３のうち一方を「一方の鍔部３ａ」、他方を「他方の鍔部３ｂ」としている。図２及び図３に図示するように、一方の鍔部３ａと、他方の鍔部３ｂとは、左右対称に形成され、基本的な構成、及び、構造が同一であるものとする。
【００３４】
図１に図示するように、一方の鍔部３ａは、一方の鍔部本体５ａと、一方の保持プレート１０ａとを備えている。図２（ａ）に図示するように、一方の鍔部本体５ａは、本実施例では、木製であり、巻胴部２と同心円状の外周部６ａが形成されている。一方の鍔部本体５ａには、一方の取付孔７ａが形成されている。一方の取付孔７ａは、一方の鍔部本体５ａの内面８ａから外面９ａにかけて円形に貫通形成されている。一方の取付孔７ａは、後述する伸縮機構部材４の軸方向の一端２２が挿入可能に形成されている。一方の取付孔７ａは、一方の鍔部本体５ａの外周部６ａ側に一方の鍔部本体５ａの周方向に９０°間隔をおいて４つ形成されている。一方の取付孔７ａは、ドラム１の軸方向において、後述する他方の取付孔７ｂと対向するように配置されている。
【００３５】
図３（ａ）に図示するように、一方の保持プレート１０ａは、本実施例では、金属（鉄）製であり、巻胴部２と同心円状で且つ円環状に形成され、一方の鍔部本体５ａと略同一の径に形成されている。一方の保持プレート１０ａは、一方の鍔部本体５ａの外面９ａに設けられている。一方の保持プレート１０ａは、一方の鍔部本体５ａの外周部６ａ側に沿って一方の取付孔７ａの外面９ａ側の開口部を閉塞するように配置されている。一方の保持プレート１０ａは、この外面が一方の保持面１１ａとして形成されている。一方の保持面１１ａは、特許請求の範囲に記載される「鍔部の外面」に相当するものである。
【００３６】
図１に図示するように、他方の鍔部３ｂは、他方の鍔部本体５ｂと、他方の保持プレート１０ｂとを備えている。図２（ａ）に図示するように、他方の鍔部本体５ｂは、本実施例では、木製であり、巻胴部２と同心円状の外周部６ｂが形成されている。他方の鍔部本体５ｂには、他方の取付孔７ｂが形成されている。他方の取付孔７ｂは、他方の鍔部本体５ｂの内面８ｂから外面９ｂにかけて円形に貫通形成されている。他方の取付孔７ｂは、後述する伸縮機構部材４の軸方向の他端２３が挿入可能に形成されている。他方の取付孔７ｂは、他方の鍔部本体５ｂの外周部６ｂ側に他方の鍔部本体５ｂの周方向に９０°間隔をおいて４つ形成されている。他方の取付孔７ｂは、ドラム１の軸方向において、一方の取付孔７ａと対向するように配置されている。
【００３７】
図３（ａ）に図示するように、他方の保持プレート１０ａは、本実施例では、金属（鉄）製であり、巻胴部２と同心円状で且つ円環状に形成され、他方の鍔部本体５ｂと略同一の径に形成されている。他方の保持プレート１０ｂは、他方の鍔部本体５ｂの外面９ｂに設けられている。他方の保持プレート１０ｂは、他方の鍔部本体５ｂの外周部６ｂ側に沿って他方の取付孔７ｂの外面９ｂ側の開口部を閉塞するように配置されている。他方の保持プレート１０ｂは、この外面が他方の保持面１１ｂとして形成されている。他方の保持面１１ｂは、特許請求の範囲に記載される「鍔部の外面」に相当するものである。
【００３８】
つぎに、本発明に係る伸縮機構部材４について説明する。
図１に図示する伸縮機構部材４は、鍔部３を補強する部材であるとともにドラム１の転がりを防止する部材（ストッパー）である。伸縮機構部材は、棒状に形成され、この軸方向において所望の長さに伸縮自在に形成されている。図４及び図５に図示するように、伸縮機構部材４は、この軸方向に直交するように切断したときの断面が多角形（本実施例では、略正三角形）に形成されている。なお、本実施例では、「伸縮機構部材」と呼んでいるが、これに限らず、その他、「棒状部材」や「鍔部補強部材兼ドラム固定部材」と呼んでもよいものとする。
【００３９】
図４及び図５に図示するように、伸縮機構部材４は、本体部１２と、伸縮部１３と、保持部１４と、締結部材（固定手段）１５とを備えている。以下、伸縮機構部材４の各構成について説明する。
【００４０】
図４及び図５に図示する本体部１２は、金属製であり、有底で且つ軸方向に直交するように切断したときの断面が略正三角形の角筒状に形成されている。図５に図示するように、本体部１２は、底面１６と、第１の外面１７と、第２の外面１８と、第３の外面と、図示しない内部空間とを備えている。本実施例では、第２の外面１８に、第１の締結孔２０が形成されている。第１の締結孔２０は、後述する締結部材１５（図５参照）が締結可能に形成されている。
【００４１】
図４及び図５に図示する伸縮部１３は、金属製であり、軸方向に直交するように切断したときの断面が略正三角形の角柱状に形成されている。図５に図示するように、伸縮部１３は、本体部１２の内部空間に、軸方向に進退自在に配設されている。伸縮部１３が本体部１２の内部空間を軸方向に進退することにより、伸縮機構部材は、この軸方向において所望の長さに伸縮される。図５に図示するように、伸縮部１３には、第２の締結孔２１が形成されている。第２の締結孔２０は、後述する締結部材１５（図５参照）が締結可能に形成されている。
【００４２】
図４に図示する保持部１４は、伸縮機構部材４を鍔部３の外面（一方の保持面１１ａ又は他方の保持面１１ｂ）に着脱自在に保持するための部分である。保持部１４は、磁力を有する部材であり、本実施例では、略長矩形に形成されたマグネットシートが用いられている。図４に図示するように、保持部１４は、本体部１２の第１の外面１７に配設されている。
【００４３】
図５に図示する締結部材１５は、特許請求の範囲に記載される「固定手段」に相当するものである。締結部材１５は、伸縮機構部材を、この軸方向における所望の長さに固定するための部材である。図５に図示するように、締結部材１５は、本実施例では、作業者が手作業で第１の締結孔２０又は第１の締結孔２０と第２の締結孔２１とに締結可能なボルト（所謂、蝶ボルト）が用いられている。
【００４４】
つぎに、図６及び図７を参照しながら、ドラム１の運搬作業時に、伸縮機構部材４を各鍔部３へ取り付ける作業について説明する。なお、図６及び図７では、電線（又はケーブル）は、図示を省略するものとする。
まず、図６（ａ）に図示するように、伸縮機構部材４を矢印Ａの指示する方向に移動させ、図６（ｂ）に図示するように、伸縮機構部材４の軸方向の一端２２を一方の取付孔７ａに挿入し、保持プレート１０ａに当接させる。しかる後、図６（ｂ）に図示するように、伸縮部１３を矢印Ｂの指示する方向に伸ばしていく。
【００４５】
伸縮部１３を矢印Ｂの指示する方向に伸ばし続けることにより、図７に図示するように、伸縮機構部材４の軸方向の他端２３を他方の取付孔７ｂに挿入し、保持プレート１０ｂに当接させる。しかる後、締結部材１５を締め付け、伸縮機構部材４の、この軸方向の長さを固定する。しかる後、特に図示しないが、残り３本の伸縮機構部材４を、上記と同様の作業により、各鍔部３それぞれの内面８ａ、８ｂに跨がって保持する。以上により、伸縮機構部材４の取り付け作業が完了する。
【００４６】
ここで、本実施例において伸縮機構部材４の取り付け位置を４箇所とした理由について説明する。
本実施例において伸縮機構部材４は、図４及び図５に図示するように、相似形の三角柱を組み合わせて構成されていることから、伸縮機構部材４を各鍔部３それぞれの内面８ａ、８ｂに跨がって保持すると、図１に図示するように、伸縮機構部材４の軸方向の他端２３が他方の取付孔７ｂ内で浮いてしまう。さらに、鍔部４に力が掛かると伸縮機構部材４が変形してしまう虞がある。そこで、伸縮機構部材４を５本以上備えることとすると、鍔部の補強が十分なされ、鍔部３の剛性は向上するが、伸縮機構部材４を各鍔部３へ取り付ける作業における作業工数が増加してしまう。また、３箇所では、伸縮機構部材４にて支持する範囲が広くなってしまい、鍔部の補強が不十分になり、鍔部３の剛性の向上を図り難くなってしまう。したがって、本実施例では、伸縮機構部材４の取り付け位置を４箇所とした。
【００４７】
つぎに、図７−図９を参照しながら、ドラム１の固定作業について説明する。
まず、図７に図示するように、伸縮機構部材４を各鍔部３それぞれの内面８ａ、８ｂに跨がって保持した状態において、締結部材１５を緩め、伸縮機構部材４の軸方向の長さを縮めることにより、伸縮機構部材４を各鍔部３から取り外す。しかる後、伸縮機構部材４を図４に図示する状態にした後、図８及び図９に図示するように、ドラム１の載置面（地面、床、荷台等）２４と各鍔部３との間に伸縮機構部材４を介在させる。以上により、ドラム１の固定作業が完了する。
【００４８】
つぎに、図８−図１０を参照しながら、導電路の延線作業時に、伸縮機構部材４を鍔部３の外面（本実施例では、一方の保持面１１ａ）に保持する作業について説明する。
例えば、図８及び図９に図示するように、ドラム１を固定した状態から、伸縮機構部材４を一方の保持面１１ａに保持しようとする場合、まず、ドラム１の載置面２４と各鍔部３との間に介在された伸縮機構部材４を取り外す。しかる後、４本の伸縮機構部材４を一方の保持面１１ａに保持する。伸縮機構部材４は、保持部１４の磁力により一方の保持面１１ａに保持される。以上により、伸縮機構部材４を鍔部３の外面に保持する作業が完了する。
【００４９】
なお、本実施例では、伸縮機構部材４を一方の保持面１１ａに保持しているが、これに限らず、例えば、他方の保持面１１ｂに保持してもよく、また、一方の保持面１１ａと他方の保持面１１ｂそれぞれに保持してもよいものとする。
【００５０】
つぎに、本発明のドラム１、及び、伸縮機構部材４の作用について説明する。
本発明のドラム１、及び、伸縮機構部材４によれば、伸縮機構部材４にて各鍔部３（３ａ、３ｂ）同士が固定され、鍔部３が補強されることにより、鍔部３の剛性が従来技術に比べ向上する。このように、鍔部３の剛性が従来技術（図１１に図示するドラム１００）に比べ向上すると、ドラム運搬作業時に、作業者が手作業でドラム１の進行方向を変える際の鍔部３の歪みが生じ難くなる。上記鍔部３の歪みが生じ難くなることにより、作業者が手作業でドラム１の進行方向を変えるのに要する力が上記従来技術に比べて小さい力で済み、また、鍔部３に亀裂や割れが生じ難くなる。
【００５１】
また、本発明のドラム１、及び、伸縮機構部材４によれば、ドラム固定作業時に、ドラム１に保持された伸縮機構部材４を取り外し、ドラム１の載置面２４と鍔部３との間に伸縮機構部材４を介在させストッパーとしてドラム１の転がりを防止することにより、離れた場所に保管されているストッパーを取りに行く手間が無くなる。したがって、作業者がドラム１から目を離した際に、ドラム１が転がってしまうというような虞が無くなる。
【００５２】
また、本発明のドラム１、及び、伸縮機構部材４によれば、ドラム運搬作業時、及び、導電路延線作業時に、伸縮機構部材４をドラム１に保持することができることから、伸縮機構部材４を離れた保管場所に戻す手間が無くなる。したがって、伸縮機構部材４の戻し忘れが無くなる。
【００５３】
また、本発明のドラム１、及び、伸縮機構部材４によれば、導電路延線作業時に、伸縮機構部材４を鍔部３の外面に保持するため、伸縮機構部材４が延線作業の妨げになることが無い。伸縮機構部材４は、鍔部３の外面に着脱自在となるため、容易に取り外しが可能であり、他のドラムにも使用することができる。
【００５４】
また、本発明のドラム１、及び、伸縮機構部材４によれば、伸縮機構部材４の軸方向の一端２２を一方の取付孔７ａに挿入し、上記軸方向において所望の長さに伸ばし、上記軸方向の他端２３を他方の取付孔７ｂに挿入することにより、各鍔部３に跨がって伸縮機構部材４が保持される。また、伸縮機構部材４が上記保持された状態において、上記軸方向において所望の長さに縮め、上記軸方向の他端２３を他方の取付孔７ｂから抜き、上記軸方向の一端２２を一方の取付孔７ａから抜くことにより、伸縮機構部材４が各鍔部３から取り外される。したがって、伸縮機構部材４を各鍔部３それぞれの内面８ａ、８ｂに対し、容易に着脱することができる。
【００５５】
また、本発明のドラム１、及び、伸縮機構部材４によれば、ドラム固定作業時に、伸縮機構部材４を所望の長さに調整し、ストッパーとしてドラム１の転がりを防止することができる。また、本発明のドラム１、及び、伸縮機構部材４によれば、導電路延線作業時に伸縮機構部材を延線作業の妨げにならないような長さに調整し、ドラムに保持することができる。したがって、用途に応じ、軸方向の長さを調整することが可能であり、他のドラムにも使用することができる。
【００５６】
また、本発明の伸縮機構部材４によれば、伸縮機構部材４を所望の長さに調整し、この所望の長さを固定手段（締結部材１５）にて固定することができる。したがって、ドラム運搬作業時には、伸縮機構部材４にて各鍔部３同士が、より確実に固定され、鍔部３が、より補強され、また、導電路延線作業時には、延線作業の妨げにならないような長さに固定されて鍔部３の外面（保持面１１ａ、保持面１１ｂ）に保持される。
【００５７】
また、本発明の伸縮機構部材４によれば、断面多角形の伸縮機構部材４は、載置面２４を転がり難いことから、伸縮機構部材４にてドラム１の転がりが、より確実に防止される。
【００５８】
また、本発明の伸縮機構部材４によれば、複数の伸縮機構部材４にて各鍔部３同士が固定され、鍔部３が補強されることにより、鍔部３の剛性が従来技術に比べ、より向上する。また、複数の伸縮機構部材４がドラム１の軸方向に沿うように各鍔部３それぞれの内面８ａ、８ｂに跨がって保持されるため、鍔部３が、より補強される。したがって、ドラム運搬作業時に作業者が手作業でドラム１の進行方向を変える際の鍔部３の歪みが、より生じ難くなり、上記ドラム１の進行方向を変えるのに要する力が従来技術に比べて、より小さい力で済み、また、鍔部３に亀裂や割れが、より生じ難くなる。
【００５９】
つぎに、本発明のドラム１、及び、伸縮機構部材４の効果について説明する。
以上、図１−図１０を参照しながら説明してきたように、本発明のドラム１、及び、伸縮機構部材４によれば、ドラム１の運搬作業時に、作業者が手作業でドラム１の進行方向を変えるのに要する力を従来技術に比べて小さくすることができ、また、鍔部３に亀裂や割れを生じ難くすることができることから、ドラム１の運搬作業に係る作業性や、ドラム１の耐久性を向上させることができるという効果を奏する。
【００６０】
また、本発明のドラム１、及び、伸縮機構部材４によれば、伸縮機構部材４を離れた場所まで取りに行く手間や、伸縮機構部材４を離れた場所に戻す手間を無くすことができることから、作業者がドラム１から目を離すことなくドラム１の固定作業をすることができるとともに伸縮機構部材４の紛失を防止することができるという効果を奏する。
【００６１】
この他、本発明は本発明の主旨を変えない範囲で種々変更実施可能なことは勿論である。
【００６２】
上記説明では、本発明に係るドラム１は、巻胴部２と、一方の鍔部本体５ａ、及び、他方の鍔部本体５ｂとが木製であるが、これに限らず、金属製であってもよいものとする。
【符号の説明】
【００６３】
１…ドラム、  ２…巻胴部、  ３…鍔部、  ３ａ…一方の鍔部、  ３ｂ…他方の鍔部、  ４…伸縮機構部材、  ５ａ…一方の鍔部本体  ５ｂ…他方の鍔部本体、  ６ａ、６ｂ…外周部、  ７ａ…一方の取付孔、  ７ｂ…他方の取付孔、  ８ａ、８ｂ…内面、  ９ａ、９ｂ…外面、  １０ａ…一方の保持プレート、  １０ｂ…他方の保持プレート、  １１ａ…一方の保持面、  １１ｂ…他方の保持面、  １２…本体部、  １３…伸縮部、  １４…保持部、  １５…締結部材（固定手段）  １６…底面、  １７…第１の外面、  １８…第２の外面、  １９…第３の外面、  ２０…第１の締結孔、  ２１…第２の締結孔、  ２２…一端、  ２３…他端、  ２４…載置面
【図１】
2020138840.tif 000003
【図２】
2020138840.tif 000004
【図３】
2020138840.tif 000005
【図４】
2020138840.tif 000006
【図５】
2020138840.tif 000007
【図６】
2020138840.tif 000008
【図７】
2020138840.tif 000009
【図８】
2020138840.tif 000010
【図９】
2020138840.tif 000011
【図１０】
2020138840.tif 000012
【図１１】
2020138840.tif 000013
【図１２】
2020138840.tif 000014